(57)【要約】  面倒な配線を行うこと無く且つビデオカメラがタリー信号出力端子を持たない場合であってもタリーランプを点灯させることが可能なビデオカメラ用モニターを提供する。本発明によれば、レックランタイムコードを含むビデオカメラ映像信号の入力を受け付けるカメラ映像入力部と、タリー表示を制御するタリー表示制御部とを備え、前記タリー表示制御部は、前記レックランタイムコードが進んでいるかどうかに基づいてタリー表示を制御するビデオカメラ用モニターが提供される。
2013108405.tif 000002
【特許請求の範囲】
【請求項１】
レックランタイムコードを含むビデオカメラ映像信号の入力を受け付けるビデオカメラ映像入力部と、タリー表示を制御するタリー表示制御部とを備え、
前記タリー表示制御部は、前記レックランタイムコードが進んでいるかどうかに基づいてタリー表示を制御するビデオカメラ用モニター。
【請求項２】
前記ビデオカメラ映像信号は、ＳＤＩ信号である請求項１に記載のビデオカメラ用モニター。
【請求項３】
ピーキングレベル、ブライトレベル及びコントラストレベルを調節する映像表示調節部と、前記映像表示調節部によって調節された状態を記憶する記憶部と、前記記憶部に設定された状態と、初期状態とを切り替える映像表示設定切替部とをさらに備える請求項１又は請求項２に記載のビデオカメラ用モニター。
【請求項４】
前記ビデオカメラ映像信号は、エンベデッドオーディオ信号を含み、
前記ビデオカメラ映像信号からエンベデッドオーディオ信号を分離するオーディオ信号分離部と、前記分離部が分離したデジタル信号をアナログ信号に変換するＤＡ変換部と、変換されたアナログ信号を出力するアナログ音声出力部とを備える請求項１〜請求項３の何れか１つに記載のビデオカメラ用モニター。
【発明の詳細な説明】
【技術分野】
【０００１】
本発明は、ビデオカメラからの信号が入力され、その信号に基づく表示を行うビデオカメラ用モニターに関する。ビデオカメラ用モニターとしては、ビデオカメラに装着して使用されるビューファインダーや、ビデオカメラに装着されずに使用されるモニターがある。
【背景技術】
【０００２】
一般に、ビデオカメラには小型のビューファインダーが搭載されている。近年ハイビジョンカメラの高画質化が進み、画面の大きい後付のビデオカメラ用ビューファインダーが接続されることが多い。ビューファインダーには、映像のピント調整、画角確認、録画中である確認することをカメラマンが容易にできる機能が必要である。このような機能があれば、カメラマンは小型ビューファインダーよりも正確に映像を確認することが容易になるからである。このため、放送用のビデオカメラには、一般に、専用ビューファインダーが接続でき、このビューファインダーは、映像表示、及び録画中を表示するタリー表示部分を有している。
【発明の概要】
【発明が解決しようとする課題】
【０００３】
外付けのビューファインダーは、カメラから離れた位置に設置されて使用されることがある。このような場合に、ビューファインダーでカメラ映像を確認している者は、現在録画中であるかどうかを知りたい場合がある。カメラ本体には、通常、録画中にのみ点灯するタリーランプが設けられているが、ビューファインダーに設置されているときは、カメラ本体のタリー表示を確認することが困難である。
ビューファインダーには、タリー入力端子が設けられている場合があり、この場合、タリー入力端子にタリー信号を入力させることによって、カメラが録画中にタリーランプを点灯させることが可能である。但し、小型ビデオカメラにはタリー信号を出力する端子が設けられていない場合があり、この場合、ビデオカメラからタリー信号を取り出すことは困難である。
また、タリー信号出力端子が設けられているビデオカメラであっても、ビューファインダーとビデオカメラとの間の面倒な配線が必要であった。
このような事情は、ビューファインダー以外のビデオカメラ用モニターについてもあてはまる。【０００４】
本発明はこのような事情に鑑みてなされたものであり、面倒な配線を行うこと無く且つビデオカメラがタリー信号出力端子を持たない場合であってもタリーランプを点灯させることが可能なビデオカメラ用モニターを提供するものである。
【課題を解決するための手段】
【０００５】
本発明によれば、レックランタイムコードを含むビデオカメラ映像信号の入力を受け付けるカメラ映像入力部と、タリー表示を制御するタリー表示制御部とを備え、前記タリー表示制御部は、前記レックランタイムコードが進んでいるかどうかに基づいてタリー表示を制御するビデオカメラ用モニターが提供される。【０００６】
近年は安価なビデオカメラであっても映像の品質が高く、放送用途に耐える品質の映像を撮影することができるものが出てきた。このようなカメラを放送用途に利用するに際してのネックの一つは、このようなカメラがタリー信号を出力できず、従って、ビデオカメラ用モニターのタリーランプを点灯させることができないことであった。このような状況において本発明者は、タリーランプを点灯させる方法について熟考した結果、ビデオカメラ用モニターに入力される映像信号にはビデオカメラが録画中の場合にのみ進行するレックランタイムコードが含まれていることを発見し、このレックランタイムコードを利用すれば、タリー表示用の配線を別途設けることなく、タリー表示の制御を行うことができることを見出し、本発明の完成に到った。【０００７】
本発明によれば、従来は外部接続されたビデオカメラ用モニターにタリー表示ができなかった安価なビデオカメラを放送用途に使用することができる。【０００８】
本発明のビデオカメラ用モニターは、ビデオカメラ映像信号出力搭載のカメラだけでなく、アナログのビデオカメラもデジタル信号変換装置を使用することによりタイムコード信号が１本のケーブル上に重畳していれば適用可能であってもよい。本発明のビデオカメラ用モニターは安価なビデオカメラだけでなく、ＥＮＧビデオカメラ、スタジオビデオカメラのビデオカメラ用モニターとしても十分適している。
【図面の簡単な説明】
【０００９】
【図１】本発明の一実施形態のビデオカメラ用モニターとカメラの構成を示す接続図である。
【図２】本発明の一実施形態のビデオカメラ用モニターを示す正面図である。
【図３】本発明の一実施形態のビデオカメラ用モニターを示す裏面図である。
【発明を実施するための形態】
【００１０】
以下、図１〜図３を用いて、本発明の一実施形態のビデオカメラ用モニターについて説明する。以下に示す実施形態は、例示であって、本発明は以下の実施形態には限定されない。
【００１１】
図１は、本実施形態のビデオカメラ用モニターとビデオカメラの接続構成を示す図である。ビデオカメラ用モニターＡの外観及びコネクタや表示部の配置の一例を図２及び図３に示す。図２及び図３は、それぞれ、正面図及び裏面図を示す。
【００１２】
１．ビデオカメラ用モニターＡの内部構成
まず、図１を用いて、ビデオカメラ用モニターＡの内部構成について説明する。
ビデオカメラ用モニターＡは、レックランタイムコードを含むビデオカメラ映像信号の入力を受け付けるビデオカメラ映像入力部４と、タリー表示を制御するタリー表示制御部４４とを備え、タリー表示制御部４４は、レックランタイムコードが進んでいるかどうかに基づいてタリー表示を制御する。本実施形態では、このような構成により、レックランタイムコードを利用することによって、タリー表示を制御することを可能にしている。
【００１３】
本明細書において、ビデオカメラ映像信号は、レックランタイムコードを含むものであればよく、ＳＤＩ信号（例：ＨＤ−ＳＤＩ信号、ＳＤ−ＳＤＩ、３Ｇ−ＳＤＩ信号）、ＨＤＭＩ信号、３Ｄ等の何れであってもよい。また、デジタル信号は、ビデオカメラから出力されたものであってもよく、ビデオカメラから出力されたアナログ信号をＡＤ変換して得られたデジタル信号であってもよい。
【００１４】
タイムコードには、フリーランタイムコードとレックランタイムコードの２種類があり、前者は、録画中であるかどうかに関わらず進み続けるものであり、通常は、複数台のカメラを同期させるために用いられる。一方、レックランタイムコードは、録画中にのみ進むものである。ビデオカメラ映像信号には、その企画によらず、通常は、タイムコードが含まれており、フリーランタイムコードとレックランタイムコードのどちらが含まれるかはビデオカメラに依存している。本実施形態のビデオカメラ用モニターＡにタリー表示させるには、レックランタイムコードがビデオカメラ映像信号に含まれていればよい。ビデオカメラ用モニターＡと共に利用されるビデオカメラとしては、レックランタイムコードのみが利用可能なものであってもよく、フリーランタイムコードとレックランタイムコードのどちらかを選択可能なものであってもよい。
【００１５】
タリー表示制御部４４は、ビデオカメラ映像信号中のレックランタイムコードを分析し、タイムコードが進んでいると判断した場合には、ビデオカメラが録画中であると判断して、タリー表示部１１，１７を点灯させる。これによって、レックランタイムコードが進んでいるかどうかに基づいてタリー表示を制御することが可能になる。
【００１６】
また、ビデオカメラ用モニター装置Ａは、ピーキングレベル、ブライトレベル及びコントラストレベルを調節する映像表示調節部８と、映像表示調節部８によって調節された状態を記憶する記憶部７と、記憶部７に設定された状態と、初期状態とを切り替える映像表示設定切替部４５とをさらに備えることが好ましい。この構成によって、カメラマンが自分の好みの映像表示設定を記憶部７に保存することができ、保存した設定をいつでも呼び出すことができるので、別の人が映像表示の調節を行っても、容易に自分の好みの設定に戻すことができる。
【００１７】
ビデオカメラ映像信号（例：ＳＤＩ映像信号）は、エンベデッドオーディオ信号を含むことができ、このビデオカメラ映像信号からエンベデッドオーディオ信号を分離するオーディオ信号分離部９と、前記分離部が分離したデジタル信号をアナログ信号に変換するＤＡ変換部４１と、変換されたアナログ信号を出力するアナログ音声出力部４２とを備えることが好ましい。従来のビデオカメラ用モニターは音声出力がなく、現場のカメラマンがリターン音声やオンエアーの音声を聞く為に別のケーブルを配線しなければならなかった。本実施形態の構成によれば、このような別のケーブルを配線しなくても、リターン音声やオンエアーの音声を聞くことができる。
【００１８】
また、ビデオカメラ用モニター装置Ａは、ビデオカメラ映像入力部４に入力されたビデオカメラ映像信号を出力するビデオカメラ映像出力部を備えてもよい。ビデオカメラ映像出力部から出力されたビデオカメラ映像信号は、スイッチャーなどの外部機器に入力することができる。
【００１９】
２．ビデオカメラ用モニター装置Ａの正面側の外観及びコネクタや表示部の配置
次に、ビデオカメラ用モニター装置Ａの正面側の外観及びコネクタや表示部の配置について説明する。
ビデオカメラ用モニター装置Ａの正面側には、図２に示すように、箱状の本体部１０に、液晶表示部１２と、タリー表示部１１と、ブライト調整機能１５と、コントラスト調整機能１４と、ピーキング調整機能１３と、オーディオ調整ボリューム１６が設けられている。
【００２０】
本体部１０には、図１中の各機能ブロックが収容されている。液晶表示部１２には、映像選択部５が選択した映像が、映像表示調節部８によって定められたピーキングレベル、ブライトレベル及びコントラストレベルの条件で、表示制御部６の制御下で表示される。タリー表示部１１は、タリー表示制御部４４の制御下で発光する。
【００２１】
ブライト調整機能１５、コントラスト調整機能１４、及びピーキング調整機能１３は、映像表示調節機能と総称することができ、それぞれ、ブライトレベル、コントラストレベル、及びピーキングレベル（以下、「映像表示レベル」と称する）の調節に利用される。これらの調節機能のボリュームを回転させると、符号２９、３０、３１で指し示すように液晶表示部１２の中に各映像表示レベルが数字で数秒間表示される。このレベル表示はユーザーモード時に任意で設定できる。また、これらの調節機能のボリュームを押すことにより、ＬＥＤ２６、ＬＥＤ２７、ＬＥＤ２８が消灯しプリセットモード（固定された標準設定レベル）に変わる。映像表示調節部８は、これらの映像表示調節機能からの入力に基づいて、映像表示レベルを調節する。本実施形態のビデオカメラ用モニター装置Ａではこのような方法で映像表示レベルの調整を行うので、ビデオカメラのメーカーや機種を問わずに映像表示レベルを正確に調整して、映像をモニターすることができる。また、現場によりビデオカメラが変わっても適格に映像を表示することが可能になる。オーディオ調整ボリューム１６は、音声出力部４２から出力される音声のボリュームを調整する。
【００２２】
３．ビデオカメラ用モニター装置Ａの裏面側の外観及びコネクタや表示部の配置
次に、ビデオカメラ用モニター装置Ａの裏面側の外観及びコネクタや表示部の配置について説明する。
【００２３】
ビデオカメラ用モニター装置Ａの裏面側には、図３に示すように、タリー表示部１７と、カメラ映像入力コネクタ１８と、オーディオ出力端子２４、オーディオ出力端子２５が設けられている。
【００２４】
タリー表示部１７は、タリー表示制御部４４の制御下で発光する。カメラ映像入力コネクタ１８は、ビデオカメラからのビデオカメラ映像信号を入力するためのコネクタであり、このコネクタを介してビデオカメラ映像信号がビデオカメラ映像入力部４に入力される。
【００２５】
Ａ  ビデオカメラ用モニター装置
４  ビデオカメラ映像入力部
６  表示制御部
７  記憶部
８  映像表示調節部
９  オーディオ信号分離部
１０  本体部
１１  タリー表示部
１２  液晶表示部
１３  ピーキング調整機能
１４  コントラスト調整機能
１５  ブライト調整機能
１６  オーディオ出力調整ボリューム
１７  後部タリー表示部
１８  カメラ映像信号入力コネクタ
２４、２５  オーディオ出力コネクタ
２６、２７、２８  ＬＥＤ
２９  ブライトレベル表示
３０  コントラストレベル表示
３１  ピーキングレベル表示
４１  ＤＡ変換部
４２  音声出力部
４２  アナログ音声出力部
４４  タリー表示制御部
【図１】
2013108405.tif 000003
【図２】
2013108405.tif 000004
【図３】
2013108405.tif 000005
【国際調査報告】
2013108405.tif 000006
2013108405.tif 000007